(57)【要約】【課題】ストロボ用ブラケットとストロボ装置との相対的な位置関係の自由度を高めることのできるストロボ装置のストロボ用ブラケットへの取付構造を提供する。【解決手段】ストロボ用ブラケット１６にストロボ装置１４及びカメラ１２を取り付けるための取付構造１０は、ストロボ装置１４に設けられた左右１対の被固定部３４と、ストロボ用ブラケット１６に設けられた固定具２８とを有する。ストロボ用ブラケット１６は、ストロボ装置１４の左右いずれにも取り付けることができるため、カメラ１２はストロボ装置１４の左右いずれにも配置できる。【選択図】図４
2019003130.tif 000002
【特許請求の範囲】
【請求項１】
ストロボ装置のストロボ用ブラケットへの取付構造であって、
左右１対の被固定部を有するストロボ装置と、
前記１対の被固定部のいずれにも着脱可能に固定できる固定具を有するストロボ用ブラケットとを備えることを特徴とする取付構造。
【請求項２】
前記１対の被固定部は、縦方向に延在し、かつ互いに相反する方向に開口する左右１対の受容溝を有することを特徴とする請求項１に記載の取付構造。
【請求項３】
前記１対の被固定部の各々は、前記受容溝の開口を覆うとともに縦方向に延在する長孔が設けられたレール部材を有し、
前記固定具は、前記ストロボ装置に当接する取付面と、前記取付面から突出して前記受容溝に突入する拡頭ピンとを有し、前記ストロボ装置を取り付けた状態において、前記取付面と前記拡頭ピンの拡頭部とが前記レール部材を挟持することを特徴とする請求項２に記載の取付構造。
【請求項４】
前記ストロボ用ブラケットは、前記拡頭ピンの突出向きの反対側に前記固定具から延出するカメラ支持板を有することを特徴とする請求項３に記載の取付構造。
【請求項５】
前記ストロボ用ブラケットに取付可能なカメラを更に備え、
前記ストロボ装置は、シャッタ釦を有するとともに、前記シャッタ釦の押し込み状態を示す信号を有線又は無線を介して前記カメラに送信することを特徴とする請求項１〜４のいずれか一項に記載の取付構造。
【請求項６】
前記ストロボ装置は、縦方向に延在するケースを有し、前記シャッタ釦は、前記ケースの上部かつ前記ストロボ装置における発光方向側に配置されたことを特徴とする請求項５に記載の取付構造。
【請求項７】
所定の固定具を有するストロボ用ブラケットを固定するための、１対の被固定部を有し、
前記１対の被固定部は、互いに相反する方向に向かって開口して、縦方向に延在する１対の受容溝と、前記１対の受容溝の開口方向に貫通して縦方向に延在する長孔が形成され、かつ前記１対の受容溝を覆う１対のレール部材とを有することを特徴とするストロボ装置。
【発明の詳細な説明】
【技術分野】
【０００１】
本開示は、ストロボ装置のストロボ用ブラケットへの取付構造及びストロボ装置に関する。
【背景技術】
【０００２】
ストロボ装置をカメラに固定するために、ストロボ用ブラケットが使用されることがある。例えば、特許文献１には平板状のストロボ用ブラケットが記載されており、このストロボ用ブラケットは、カメラを取り付けるための長孔とストロボを取り付けるための長孔とを有し、カメラとストロボ用ブラケットとの横方向の相対的な位置を調整できるようになっている。また、カメラとストロボ装置との縦方向の相対的な位置を調整できるように、Ｌ字型に形成されたストロボ用ブラケットも知られている。
【０００３】
また、シャッタ釦が、カメラ本体以外に設けられることがある。例えば、特許文献２には、連結部材を介してカメラ本体に連結されたグリップ部材に、シャッタ釦を設けることが記載されている。
【先行技術文献】
【特許文献】
【０００４】
【特許文献１】特開２００３−２３３１２１号公報
【特許文献２】特開平１１−３０５２９３号公報
【発明の概要】
【発明が解決しようとする課題】
【０００５】
Ｌ字型のストロボ用ブラケットは、横方向に延在する部分にカメラの底面を固定し、縦方向に延在する部分にストロボ装置の側面を固定し、カメラの底面及びストロボ装置の側面には、ストロボ用ブラケットに取り付けるための構造が設けられている。このため、ストロボ装置において取付構造を有する側にカメラが配置されることになり、カメラとストロボ装置との左右の位置関係を逆にすることはできない。
【０００６】
このような問題を鑑み、本発明は、ストロボ用ブラケットとストロボ装置との相対的な位置関係の自由度を高めることのできるストロボ装置のストロボ用ブラケットへの取付構造及びストロボ装置を提供することを目的とする。
【０００７】
また、特許文献２のようにカメラ本体以外にシャッタ釦を設けると機材数が増え、ユーザーに負担を与える。そこで、本発明の一部の実施形態では、機材数を増加させることなくシャッタ釦をカメラ本体以外に設けることが可能な構成を提供することを目的とする。
【課題を解決するための手段】
【０００８】
本発明の少なくともいくつかの実施形態に係るストロボ装置のストロボ用ブラケットへの取付構造（１０）は、左右１対の被固定部（３４）を有するストロボ装置（１４）と、前記１対の被固定部のいずれにも着脱可能に固定できる固定具（２８）を有するストロボ用ブラケット（１６）とを備えることを特徴とする。
【０００９】
この構成によれば、固定具を取り付けるべき被固定部を選択することにより、ストロボ用ブラケットをストロボ装置に対して左右いずれにも配置することができる。
【００１０】
本発明の少なくともいくつかの実施形態に係る取付構造は、上記構成において、前記１対の被固定部は、縦方向に延在し、かつ互いに相反する方向に開口する左右１対の受容溝を有することを特徴とする。
【００１１】
この構成によれば、ストロボ用ブラケットをストロボ装置の左右のいずれに取り付ける場合でも、ストロボ装置のストロボ用ブラケットに対する高さを調整することができる。
【００１２】
本発明の少なくともいくつかの実施形態に係る取付構造は、上記構成において、前記１対の被固定部の各々は、前記受容溝の開口を覆うとともに縦方向に延在する長孔（３８）が設けられたレール部材（４０）を有し、前記固定具は、前記ストロボ装置に当接する取付面（４２）と、前記取付面から突出して前記受容溝に突入する拡頭ピン（４４）とを有し、前記ストロボ装置を取り付けた状態において、前記取付面と前記拡頭ピンの拡頭部（４８）とが前記レール部材を挟持することを特徴とする。
【００１３】
この構成によれば、簡易な構成でストロボ装置とストロボ用ブラケットとを互いに固定することができる。
【００１４】
本発明の少なくともいくつかの実施形態に係る取付構造は、上記構成において、前記ストロボ用ブラケットは、前記拡頭ピンの突出向きの反対側に前記固定具から延出するカメラ支持板（２６）を有することを特徴とする。
【００１５】
この構成によれば、カメラをストロボ装置の左右いずれにも配置することができる。
【００１６】
本発明の少なくともいくつかの実施形態に係る取付構造は、上記構成のいずれかにおいて、前記ストロボ用ブラケットに取付可能なカメラ（１２）を更に備え、前記ストロボ装置は、シャッタ釦（６６）を有するとともに、前記シャッタ釦の押し込み状態を示す信号を有線又は無線を介して前記カメラに送信することを特徴とする。
【００１７】
この構成によれば、機材数を増やさずに、カメラ以外にシャッタ釦を設けることができる。
【００１８】
本発明の少なくともいくつかの実施形態に係る取付構造は、上記構成において、前記ストロボ装置は、縦方向に延在するケース（１８）を有し、前記シャッタ釦は、前記ケースの上部かつ前記ストロボ装置における発光方向側に配置されたことを特徴とする。
【００１９】
この構成によれば、ユーザーがストロボ装置のケースを握ったときに、人差し指でシャッタ釦を押すことができるため操作性が良好となる。
【００２０】
本発明の少なくともいくつかの実施形態に係るストロボ装置（１４）は、所定の固定具（２８）を有するストロボ用ブラケット（１６）を固定するための、１対の被固定部（３４）を有し、前記１対の被固定部は、互いに相反する方向に向かって開口して、縦方向に延在する１対の受容溝（３６）と、前記１対の受容溝の開口方向に貫通して縦方向に延在する長孔（３８）が形成され、かつ前記１対の受容溝を覆う１対のレール部材（４０）とを有することを特徴とする。
【００２１】
この構成によれば、所定のストロボ用ブラケットを、ストロボ装置の左右いずれにも取り付けることができ、かつストロボ装置のストロボ用ブラケットに対する高さを調整できる。
【発明の効果】
【００２２】
本発明によれば、固定具を取り付けるべき被固定部を選択することにより、ストロボ用ブラケットをストロボ装置に対して左右いずれにも配置することができる。
【図面の簡単な説明】
【００２３】
【図１】実施形態に係る取付構造の取付状態を示す斜視図
【図２】実施形態に係るストロボ及びブラケットを示す斜視図
【図３】実施形態に係るストロボ及びブラケットを示す斜視図
【図４】実施形態に係る取付構造の他の取付状態を示す斜視図
【図５】実施形態に係るブラケットの拡大斜視図
【図６】実施形態に係るブラケットの断面図（取り付け方向）
【図７】実施形態に係るブラケットの断面図（取り外し方向）
【図８】実施形態の変形例を示す斜視図
【発明を実施するための形態】
【００２４】
以下、本発明の実施形態を、図面を参照して説明する。
【００２５】
図１〜図７は、実施形態に係る取付構造１０を示す。図１に示すように、取付構造１０は、カメラ１２と、ストロボ装置１４と、カメラ１２及びストロボ装置１４を固定するストロボ用ブラケット１６とを備える。なお、説明で使用する上下、左右及び前後の方向は、図１に示す標準的な使用状態におけるユーザーから見た方向を示すが、カメラ１２、ストロボ装置１４及びストロボ用ブラケット１６は、この標準的な使用状態に対して傾いた状態で使用することもできる。
【００２６】
図１及び図２に示すように、ストロボ装置１４は、上下方向（縦方向）に長い電池ケース１８と、電池ケース１８の上部に設けられた取付部２０にチルト可能に設けられたストロボ本体２２と、ストロボ本体２２の前部に前後方向に移動可能に設けられたレンズ保持体２４とを有する。ストロボ装置１４は、左右方向（横方向）に直交する中央の平面に対して概ね鏡像対称形をなしている。
【００２７】
ストロボ用ブラケット１６は、カメラ１２を支持するカメラ支持板２６と、カメラ支持板の一端側に設けられてストロボ装置１４を固定する固定具２８とを有する。
【００２８】
カメラ支持板２６は、主面が上下方向を向き、左右方向に沿って延在する平板状を呈するとともに、カメラ１２を取り付けるための、上下方向に貫通し、左右方向に延在する長孔３０を有する。カメラ１２をカメラ支持板２６の上面に配置し、止めねじ３２を長孔３０の下方から挿入してカメラ１２の下面に設けられたねじ孔（図示せず）に螺合させることによって、カメラ１２はカメラ支持板２６に固定される。長孔３０に対する止めねじ３２の位置を調整することにより、カメラ１２の左右方向の位置を調整することができる。
【００２９】
固定具２８は、ストロボ装置１４の左右両側面に設けられた１対の被固定部３４，３４のいずれにも固定可能である。固定具２８をストロボ装置１４の左側面に設けられた被固定部３４に取り付けたときは、カメラ１２がストロボ装置１４の左方に位置し（図１）、固定具２８をストロボ装置１４の右側面に設けられた被固定部３４に取り付けたときは、カメラ１２がストロボ装置１４の右方に位置する（図４）。
【００３０】
１対の被固定部３４，３４は、上下方向に沿って延在し、それぞれ左右に向かって開口する１対の受容溝３６，３６と、それぞれ対応する受容溝３６の開口を覆うとともに上下方向に延在して左右方向に貫通する長孔３８，３８が設けられた１対のレール部材４０，４０とを有する。各々のレール部材４０は、主面が左右方向を向いた平板状を呈する。
【００３１】
図３に示すように、固定具２８のストロボ装置１４側を向く取付面４２は、平面であり、取付時にレール部材４０の表面に当接する。また、固定具２８は、取付面４２から突出する拡頭ピン４４を有する。拡頭ピン４４は、取付面４２から出没する軸部４６と、突出端側に設けられて軸部４６よりも拡径された拡頭部４８とを有する。レール部材４０の長孔３８には、拡頭部４８を挿入するための挿入口５０が上部に設けられている。挿入口５０を除いて、長孔３８は略一定の幅を有し、その幅は、軸部４６の直径よりも大きく、拡頭部４８の直径よりも小さい。取付面４２がレール部材４０の外表面に当接し、拡頭部４８が受容溝３６に受容されてレール部材４０の内表面に当接するように、取付面４２及び拡頭部４８がレール部材４０を挟持することにより、ストロボ装置１４がストロボ用ブラケット１６に固定される。拡頭ピン４４を長孔３８内でスライド移動させることにより、ストロボ装置１４のカメラ１２及びストロボ用ブラケット１６に対する高さを調整することができる。
【００３２】
図５〜図７に示すように、固定具２８は、ハウジング５２と、ハウジング５２に部分的に収容されて、拡頭ピン４４をその延在方向（左右方向）に移動させるべく操作されるダイヤル５４とを有する。ダイヤル５４は、概ね円環状を呈し、拡頭ピン４４を軸に回転するように配置される。ユーザーがダイヤル５４をまわすことができるように、ダイヤル５４の前部及び後部がハウジング５２から露出している。ダイヤル５４には内歯５６が形成されており、内歯５６は、拡頭ピン４４に対して同軸に固定された外歯部材５８の外歯６０に螺合している。ダイヤル５４の左右方向への移動はハウジング５２により規制されているため、ダイヤル５４を回すと、内歯５６と外歯６０との噛み合いにより、外歯部材５８及び拡頭ピン４４がその延在方向に沿ってに移動する。図６に示す矢印の方向（拡頭部４８が取付面４２に近接する方向）に拡頭ピン４４を移動させることにより、ストロボ装置１４がストロボ用ブラケット１６に固定され、図７に示す矢印の方向（拡頭部４８が取付面４２から離間する方向）に拡頭ピン４４を移動させることにより、ストロボ装置１４のストロボ用ブラケット１６への固定が解除される。また、拡頭ピン４４のがたつきを防止するため、拡頭ピン４４非突出端側には、圧縮コイルばね６２が巻回されている。
【００３３】
固定具２８は、拡頭ピン４４の上方に配置されてレール部材４０の長孔３８に突入する補助ピン６４を有する。補助ピン６４が長孔３８を画成する壁面に係止されることにより、ストロボ用ブラケット１６が拡頭ピン４４を軸にしてストロボ装置１４に対して回転することが防止される。補助ピン６４の直径は長孔３８の幅に略等しいことが好ましい。また、拡頭ピン４４及び補助ピン６４を同時に長孔３８に挿入できるように、拡頭ピン４４から補助ピン６４までの距離は、レール部材４０における挿入口５０から長孔３８の上端までの距離よりも小さいことが好ましい。
【００３４】
ストロボ装置１４をストロボ用ブラケット１６に固定するときは、まず、拡頭ピン４４の拡頭部４８を挿入口５０に挿入すると同時に、補助ピン６４の先端をレール部材４０の長孔３８に突入させる。次いで、拡頭ピン４４及び補助ピン６４をレール部材４０に対して上下にスライド移動し、ストロボ装置１４のストロボ用ブラケット１６に対する高さを調整する。ストロボ装置１４を目的の高さに配置したら、拡頭部４８が取付面４２に近接するようにダイヤル５４を回し、取付面４２と拡頭部４８とでレール部材４０を挟持させることにより、ストロボ装置１４をストロボ用ブラケット１６に固定する。
【００３５】
ストロボ装置１４をストロボ用ブラケット１６から取り外すときは、まず、拡頭部４８が取付面４２から離間するようにダイヤル５４を回し、取付面４２と拡頭部４８とによるレール部材４０の挟持を解除する。次いで、拡頭ピン４４が挿入口５０の高さに一致するまで、拡頭ピン４４及び補助ピン６４をスライド移動させた後、拡頭ピン４４及び補助ピン６４をレール部材４０の長孔３８から離脱させて、ストロボ装置１４をストロボ用ブラケットから取り外す。
【００３６】
ストロボ装置１４が左右１対の被固定部３４，３４を有し、ストロボ用ブラケット１６を左右の被固定部３４のいずれにも取り付けることができるため、ストロボ装置１４をカメラ１２に対して左右いずれにも配置することができる。
【００３７】
図８を参照して、上記実施形態の変形例について説明する。説明に当たって、上記実施形態と共通する構成は、その説明を省略し同一の符号を付す。本変形例は、ストロボ装置１４に設けられたシャッタ釦６６の押し込み状態を示す信号を受信する受信機６８が設けられている点で、上記実施形態と異なる。
【００３８】
ストロボ装置１４は、電池ケース１８の上部の前面、すなわちストロボ本体２２による発光方向側の面、に設けられたシャッタ釦６６を有する。ユーザーが電池ケース１８を握った際に、人差し指でシャッタ釦６６を操作できる。シャッタ釦６６は、半押しでピントを調整し、全押しでシャッタを開かせるように構成される。ストロボ装置１４は、シャッタ釦６６の押し込み状態を示す信号を無線で発信する。
【００３９】
シャッタ釦６６の押し込み状態を示す信号を受信する受信機６８は、取付器具７０によりカメラ１２の上部に取付可能である。受信機６８は、ＵＳＢ等のコネクタ７２でカメラ１２に接続しているため、カメラ１２と通信可能である。カメラ１２は、受信した信号に基づいてピントの調整やシャッタを開閉等を行うように作動する。
【００４０】
シャッタ釦６６がストロボ装置１４に設けられていることにより、機材数を増やさずに、カメラ１２以外にシャッタ釦６６を設けることができ、また、ユーザーが操作し易い位置にシャッタ釦６６を設けることができる。
【００４１】
以上で具体的実施形態の説明を終えるが、本発明は上記実施形態に限定されることなく幅広く変形実施することができる。１対の被固定部の配置は、必ずしも左右対称な配置としなくともよく、レール部材の延在方向は、上下方向に対して傾いていてもよい。また、被固定部は３つ以上あってもよい。固定具及び被固定部の互いの係合構造は、他の公知の係合構造に変更してもよい。シャッタ釦の押し込み状態を示す信号は有線により送受信されてもよい。また、上記の変形例に係るシャッタ釦及び受信機は、実施形態に係るストロボ装置のストロボ用ブラケットへの取付構造を有さないカメラ及びストロボ装置に適用してもよい。また、上記実施形態に示した構成要素は必ずしも全てが必須なものではなく、本発明の趣旨を逸脱しない限りにおいて適宜取捨選択することが可能である。
【符号の説明】
【００４２】
１０：取付構造
１２：カメラ
１４：ストロボ装置
１６：ストロボ用ブラケット
１８：電池ケース
２６：カメラ支持板
２８：固定具
３４：被固定部
３６：受容溝
３８：（レール部材の）長孔
４０：レール部材
４２：取付面
４４：拡頭ピン
６４：補助ピン
６６：シャッタ釦
６８：受信機
【図１】
2019003130.tif 000003
【図２】
2019003130.tif 000004
【図３】
2019003130.tif 000005
【図４】
2019003130.tif 000006
【図５】
2019003130.tif 000007
【図６】
2019003130.tif 000008
【図７】
2019003130.tif 000009
【図８】
2019003130.tif 000010